(57)【要約】【課題】空気調和機のドレン水（結露水）に対する十分な抗菌効果を得るとともに、空気調和機内での占有スペースの削減を図る。【解決手段】ポンプ部２０の蓋ケース６においてラビリンス構造を構成する縦壁６２と外壁６３とにより、モータ部１０を支持する。縦壁６２の内側に、水切り部６１に嵌まるような円筒形状の抗菌剤ユニット８を設ける。抗菌剤ユニット８を開口部８１ａを有する網目状ケース８１に抗菌剤８２を収容した構造とする。水切り部６１から流れる戻り水が抗菌剤ユニット８内を流れるようにする。抗菌剤８２は例えば、銀（Ａｇ）イオンを水溶性ガラスに担持させたブロック状のものとする。ラビリンス構造により、水掻き音が外部に漏れるのを低減する。【選択図】図１
2012145009.tif 000002
【特許請求の範囲】
【請求項１】
モータ部によりポンプ部のインペラを回転させて、前記ポンプ部で吸込み口から水を吸込んで吐出口から水を排出する空気調和機用排水ポンプにおいて、
前記ポンプ部は、前記モータ部の駆動軸に連結される前記インペラを収容するポンプ室ケースと、前記ポンプ室ケースの前記モータ部側に配設され前記モータ部を支持する円筒形状の壁部と、前記駆動軸が貫通されるとともに前記壁部内に開口部を有する水切り部とが形成された蓋ケースとを備え、
前記壁部の内側で前記水切り部の周りの空間に、網目状ケース内に抗菌剤を収容した抗菌剤ユニットを配設するようにしたことを特徴とする空気調和機用排水ポンプ。
【請求項２】
前記蓋ケースの前記壁部が、円筒形状でその外周に前記駆動軸の軸線と平行に複数の凸条が形成された縦壁と、該縦壁の外側の外壁とからなり、該縦壁と外壁の前記モータ部側の端面で該モータ部を支持するとともに、該縦壁と外壁がラビリンス構造を構成していることを特徴とする請求項１に記載の空気調和機用排水ポンプ。
【請求項３】
前記抗菌剤ユニットの外周に前記駆動軸の軸線と平行に複数の凸条が形成され、前記蓋ケースの前記壁部が、円筒形状の外壁であり、該外壁の前記モータ部側の端面で該モータ部を支持するとともに、前記抗菌剤ユニットの外周と該外壁とがラビリンス構造を構成していることを特徴とする請求項１に記載の空気調和機用排水ポンプ。
【請求項４】
前記モータ部は、樹脂モールド部内にステータユニットを一体成型したステータ回路部を有するＤＣブラシレスモータであることを特徴とする請求項１乃至３のいずれか一項に記載の空気調和機用排水ポンプ。
【発明の詳細な説明】
【技術分野】
【０００１】
本発明は、空気調和機のドレンパンに溜まったドレン水（結露水）を排水するための空気調和機用排水ポンプに関する。
【背景技術】
【０００２】
従来、空気調和機において、ドレンパンや排水ポンプにスライムが発生するのを防止するために、抗菌剤が使用されている。例えば、特開平１０−２９９６９３号公報（特許文献１）には、排水ポンプの回転羽根とポンプハウジングとカバーを、粉末状の抗菌剤を練り込んだ樹脂により形成する技術が開示されている。また、特開２００６−１９４４９１号公報（特許文献２）には、ドレンポンプの吸込口の近傍に、抗菌剤を具備した抗菌剤ユニットを配置する技術が開示されている。さらに、国際公開第２００４／０５３３９８号パンフレット（特許文献３）には、ドレンポンプ（排水ポンプ）のインペラ（羽根車）を、抗菌性金属材料、抗菌性のある樹脂材料や抗菌剤を添加した樹脂材料で形成するようにした技術が開示されている。
【先行技術文献】
【特許文献】
【０００３】
【特許文献１】特開平１０−２９９６９３号公報
【特許文献２】特開２００６−１９４４９１号公報
【特許文献３】国際公開第２００４／０５３３９８号パンフレット
【発明の概要】
【発明が解決しようとする課題】
【０００４】
特許文献１及び特許文献３のものは、排水ポンプのインペラ（羽根車）やカバーなどのドレン水が接する部材を、抗菌剤を練り込んだ樹脂により形成することにより抗菌効果を得るようにしている。しかしながら、抗菌剤を練りこんだ樹脂による部材は、一般的に抗菌剤の分量が少ないため、抗菌効果は不十分である。抗菌性金属材料を使用した場合は、ある程度時間が経つとその金属表面が腐食生成物を作り安定状態になるため抗菌効果が薄れてしまい、抗菌性金属イオンが水に溶出しなくなってしまう、という問題がある。また、特許文献２のものは、ドレンパン内の水が抗菌剤ユニット内の抗菌剤の収容箇所に浸入するので、抗菌剤が浸された部分の水に対しては高い効果が得られる。しかし、抗菌剤ユニットは排水ポンプから少し離れたドレンパン内に設けられているため、ドレン水の流れを受けにくく、空気調和機のドレン水全体に対して抗菌効果が得られないという点で、改良の余地がある。また、ドレンパン内に抗菌剤を配置すると占有スペースの点でも問題がある。
【０００５】
本発明は、空気調和機のドレン水に対する十分な抗菌効果を得るとともに、空気調和機内での占有スペースの削減を図る。
【課題を解決するための手段】
【０００６】
請求項１の空気調和機用排水ポンプは、モータ部によりポンプ部のインペラを回転させて、前記ポンプ部で吸込み口から水を吸込んで吐出口から水を排出する空気調和機用排水ポンプにおいて、前記ポンプ部は、前記モータ部の駆動軸に連結される前記インペラを収容するポンプ室ケースと、前記ポンプ室ケースの前記モータ部側に配設され前記モータ部を支持する円筒形状の壁部と、前記駆動軸が貫通されるとともに前記壁部内に開口部を有する水切り部とが形成された蓋ケースとを備え、前記壁部の内側で前記水切り部の周りの空間に、網目状ケース内に抗菌剤を収容した抗菌剤ユニットを配設するようにしたことを特徴とする。
【０００７】
請求項２の空気調和機用排水ポンプは、請求項１に記載の空気調和機用排水ポンプであって、前記蓋ケースの前記壁部が、円筒形状でその外周に前記駆動軸の軸線と平行に複数の凸条が形成された縦壁と、該縦壁の外側の外壁とからなり、該縦壁と外壁の前記モータ部側の端面で該モータ部を支持するとともに、該縦壁と外壁がラビリンス構造を構成していることを特徴とする。
【０００８】
請求項３の空気調和機用排水ポンプは、請求項１に記載の空気調和機用排水ポンプであって、前記抗菌剤ユニットの外周に前記駆動軸の軸線と平行に複数の凸条が形成され、前記蓋ケースの前記壁部が、円筒形状の外壁であり、該外壁の前記モータ部側の端面で該モータ部を支持するとともに、前記抗菌剤ユニットの外周と該外壁とがラビリンス構造を構成していることを特徴とする。
【０００９】
請求項４の空気調和機用排水ポンプは、請求項１乃至３のいずれか一項に記載の空気調和機用排水ポンプであって、前記モータ部は、樹脂モールド部内にステータユニットを一体成型したステータ回路部を有するＤＣブラシレスモータであることを特徴とする。
【発明の効果】
【００１０】
請求項１の空気調和機用排水ポンプによれば、モータ部をポンプ部側の蓋ケースの壁部により支持し、この壁部の内側で水切り部の周りの空間に抗菌剤ユニットを配設するようにしたので、吐出口からポンプ室ケース内に流れ込む戻り水が、水切り部から壁部の内側に流れ出し、このとき戻り水が抗菌剤ユニット内の抗菌剤に接触し、さらにこの水が蓋ケースの外周から、あるいはポンプ室ケース及び吸込み口から、ドレンパンに流れ出すので、ドレンパンに溜まる水は頻繁に且つまんべんなく抗菌剤に接触することになり、ドレン水に対して十分な抗菌効果が得られる。また、抗菌剤ユニットを蓋ケース内に配置したので、占有スペースの削減を図ることができる。
【００１１】
請求項２の空気調和機用排水ポンプによれば、請求項１の効果に加えて、モータ部を支持する壁部のラビリンス構造によりポンプの水掻き音が外部に漏れるのを防止することができる。
【００１２】
請求項３の空気調和機用排水ポンプによれば、請求項１の効果に加えて、モータ部を支持する外壁を壁部とし、この壁部と抗菌剤ユニットとで構成されるラビリンス構造によりポンプの水掻き音が外部に漏れるのを防止することができるとともに、抗菌剤ユニットがラビリンス構造を兼ねているので、構造を簡単にすることができる。
【００１３】
請求項４の空気調和機用排水ポンプによれば、請求項１乃至３のいずれか一項の効果に加えて、モータ部を、ステータユニットと樹脂モールド部を一体成型したステータ回路部を有するＤＣブラシレスモータとしたので、樹脂モールド部による耐水性、耐腐食性が高まる。
【図面の簡単な説明】
【００１４】
【図１】本発明の実施形態の空気調和機用排水ポンプの一部破断側面図である。
【図２】実施形態の空気調和機用排水ポンプにおける抗菌剤ユニットと蓋ケースの斜視図である。
【図３】実施形態の空気調和機用排水ポンプの抗菌剤ユニットの他の例を示す斜視図である。
【発明を実施するための形態】
【００１５】
次に、本発明の空気調和機用排水ポンプの実施形態を図面を参照して説明する。図１は実施形態の空気調和機用排水ポンプの一部破断側面図、図２は同空気調和機用排水ポンプにおける抗菌剤ユニットと蓋ケースの斜視図である。なお、図１は図２のＡ−Ａ断面に対応する。以下の説明で、空気調和機用排水ポンプを単に「排水ポンプ」ともいう。この排水ポンプはモータ部１０とポンプ部２０と固定部（ブラケット）３０を備えている。
【００１６】
モータ部１０は、軸受アッセンブリ１，２、ステータ回路部３及びロータ４を備えている。モータ部１０の中央には貫通孔３ａが形成され、貫通孔３ａの開口部内に軸受アッセンブリ１，２が配設されるとともに、この貫通孔３ａ内にロータ４が配設され、ロータ４の駆動軸４１は軸受アッセンブリ１，２により軸支持されている。ステータ回路部３は、樹脂モールド部３１内に、ステータユニット３２及び回路基板３３等を一体成形により埋設して構成したものである。
【００１７】
樹脂モールド部３１はＢＭＣ（Ｂｕｌｋ  ｍｏｌｄｉｎｇ  ｃｏｍｐｏｕｎｄ）樹脂で形成されている。このＢＭＣ樹脂は、不飽和ポリエステルにガラス繊維のフィラーと炭酸カルシウム（充填剤）を混合してバルク状にした成形材料である。そして、ステータユニット３２及び回路基板３３等を金型にセットした後、金型にこのＢＭＣ樹脂を充填し、加圧・加熱処理を施すことで一体成形されている。そして、ステータユニット３１とロータ４は三相のＤＣブラシレスモータを構成している。
【００１８】
ポンプ部２０は、樹脂製で薄型円筒形のポンプ室ケース５と樹脂製で円筒形状の蓋ケース６とを有している。ポンプ室ケース５には、空気調和機の図示しないドレンパン内に配置される吸込み口５１と、図示しない排出管が接続される吐出し口５２とが形成されている。なお、ポンプ室ケース５の外周の２箇所には図示しない嵌合部が形成され、この嵌合部を蓋ケース６の下端部にスナップフィットすることによりポンプ室ケース５と蓋ケース６が取り付け固定されている。
【００１９】
ポンプ室ケース５内には、インペラ７が配設されている。インペラ７は、軸嵌合部７１を有するとともに、この軸嵌合部７１の下方に中心軸Ｌの方向に沿って延びる４枚の板状の小羽根７２を有しており、この小羽根７２は、吸込み口５１内に配置されている。そして、軸嵌合部７１がモータ部１０の駆動軸４１に固定されている。また、軸嵌合部７１と小羽根７２との間には、略逆円錐状に形成されたドーナツ状の中空円錐板７３を有しており、モータ部１０によりインペラ７が回転し、吸込み口５１内で小羽根７２が回転することにより、ドレンパンの水が吸込み口５１内に上昇し、その水が遠心力により中空円錐板７３側に移動する。そして、この中空円錐板７３と中空円錐板７３上に設けた大羽根７４とによりポンプ室ケース５内の水が回転し、その遠心力により水が吐出口５２から吐出される。
【００２０】
蓋ケース６の中央には、駆動軸４１及びポンプ部２０の中心軸Ｌの周りに水切り部６１が形成されている。水切り部６１は中央に貫通孔６１ａが形成されるとともに外周の数カ所にポンプ室ケース５の内側に連通する開口部６１ｂが形成されている。そして、この水切り部６１の貫通穴６１ａを駆動軸４１が貫通している。水切り部６１の外側には、モータ部１０側に延設された円筒状の縦壁６２が形成されている。図２に示すように、縦壁６２には、互いに１８０°離間した位置にスリット６２ａが形成されるとともに、外周には複数の縦の凸条６２ｂが形成されている。さらに、縦壁６２の外周にモータ部１０側に延設された円筒状の外壁６３が形成されている。この外壁６３の外周には２箇所に取付ボス部６３ａが形成されている。また、外壁６３には、縦壁６２のスリット６２ａから９０°離間した位置で、互いに１８０°離間した位置にスリット６３ｂが形成されている。
【００２１】
縦壁６２と外壁６３のモータ部１０側の端面はステータ回路部３の面内に位置しており、この縦壁６２の端面の全周がステータ回路部３の樹脂モールド部３１に当接することで、縦壁６２がモータ部１０を支持している。なお、縦壁６２と外壁６３は「壁部」を構成している。そして、固定部（ブラケット）３０をモータ部１０に嵌合させ、この固定部（ブラケット）３０の取付ボス部３０ａと蓋ケース６の取付ボス部６３ａとを突き合せて、タッピングネジＮにより固定部（ブラケット）３０が蓋ケース６にネジ止めされている。
【００２２】
縦壁６２の内側には、樹脂製で円筒形状の網目状ケース８１内にブロック状の抗菌剤８２を収容した抗菌剤ユニット８が配設されている。抗菌剤ユニット８は、中央に貫通孔８ａを有しており、この貫通孔８ａに水切り部６１が遊嵌されるとともにモータ部１０の駆動軸４１が通されている。また、網目状ケース８１の円筒形状の外周と内周には、多数の開孔部８１ａが形成されており、この開口部８１ａの大きさは、抗菌剤８２のブロックの大きさより十分に小さい形状となっている。これにより、抗菌剤８２が網目状ケース８１の外にこぼれることはない。なお、この実施例の抗菌剤８２は、銀（Ａｇ）イオンを水溶性ガラスに担持したものである。
【００２３】
以上の構成により、排水ポンプを停止したとき、吐出口５２に接続されている図示しない排出管内のドレン水が吐出口５２からポンプ室ケース５内に戻ってくる。この戻り水は、ポプ室ケース５内の吸込み口５１からドレンパンに向かって流れ出るだけでなく、水切り部６１の開口部６１ｂから縦壁６２内の抗菌剤ユニット８側に向かって勢いよく溢れ出す。この水切り部６１の開口部６１ｂから溢れ出した戻り水は、網目状ケース８１の開口部８１ａから抗菌剤ユニット８内に浸入し、抗菌剤８２はこの戻り水の流れの中に浸される。このとき、抗菌剤８２の銀（Ａｇ）イオンが戻り水に徐放され、抗菌効果を発揮する。この戻り水は縦壁６２と外壁６３との隙間を通って、外部のドレンパンに流れ出す。このように、水切り部６１の開口部６１ｂから溢れ出した戻り水が流れ出す直ぐ近くに抗菌剤ユニット８（抗菌剤８２）が配置されているので、戻り水が抗菌剤８２にまんべんなく曝され、また勢いよく水がかかるので、水垢・ゴミ付着の洗浄も行えるので抗菌効果が劣化することもない。従って、最終的にドレンパン内のドレン水に対して十分な抗菌効果が得られる。
【００２４】
縦壁６２と外壁６３はその間に空隙を形成している。また、縦壁６２の２つのスリット６２ａと、外壁６３の２つのスリット６３ｂは、軸Ｌ周りに互いに９０°離間した位置に形成されている。そして、抗菌剤ユニット８の貫通孔８ａから、縦壁６２の内側、スリット６２ａ、縦壁６２と外壁６３の間の空隙、スリット６３ｂを通って外部に通じる通路は、ラビリンス構造となっている。したがって、主に吸込み口５１内で発生する水掻き音が、スリット６３ｂから外部に漏れるのを低減することができる。さらに、縦壁６２には、縦壁６２と外壁６３の間の空隙側に複数の凸条６２ｂが形成されているので、この凸条６２ｂにより音の乱反射や吸収が行われ、さらに、水掻き音が外部に漏れるのを低減することができる。
【００２５】
図３は抗菌剤ユニットの他の実施形態を示している。この抗菌剤ユニット９は、前記抗菌剤ユニット８と同様に樹脂製で円筒形状の網目状ケース９１内にブロック状の抗菌剤９２を収容したものであり、中央に貫通孔９ａを有し、この貫通孔９ａに水切り部６１が遊嵌されるとともにモータ部１０の駆動軸４１が通されている。また、網目状ケース９１の外周面には、複数の縦の凸条９ｂが形成されている。さらに、凸条９ｂ以外の外周と内周（貫通孔９ａ側の面）には、多数の開口部９１ａが形成されており、この開口部９１ａの大きさは、抗菌剤９２のブロックの大きさより十分に小さい形状となっている。これにより、抗菌剤９２が網目状ケース９１の外にこぼれることはない。なお、この実施例の抗菌剤９２も、銀（Ａｇ）イオンを水溶性ガラスに担持したものである。開口部９１ａ及び抗菌剤９２の作用は、抗菌剤ユニット８と同様である。
【００２６】
この抗菌剤ユニット９は、縦壁６２を無くした構造の蓋ケース６内に配設するものであり、蓋ケース６は縦壁６２が無いこと以外は前記の構造どおりである。この場合、外壁６３が「壁部」を構成する。抗菌剤ユニット９の外周面には、複数の縦の凸条９ｂが形成されている。そして、抗菌剤ユニット９の貫通孔９ａから、抗菌剤ユニット９と外壁６３の間の空隙、スリット６３ｂを通って外部に通じる通路は、ラビリンス構造となる。また、抗菌剤ユニット９には複数の凸条６２ｂが形成されている。したがって、前記と同様に、主に吸込み口５１内で発生する水掻き音が、スリット６３ｂから外部に漏れるのを低減することができる。
【００２７】
実施形態の抗菌剤８２，９２は銀（Ａｇ）イオンを水溶性ガラスに担持したものであるが、これは一例であり、水中の菌に対する抗菌作用を有するものであればよい。例えば、銅（Ｃｕ）、亜鉛（Ｚｎ）、錫（Ｓｎ）などの金属イオンを水溶性ガラスに担持したものでもよい。また、担持体は水溶性ガラスに限らず他の部材でもよい。さらに、特許文献１に開示されているようなその他の有機系抗菌剤などでもよい。
【００２８】
また、モータ部としては、モータケース内にステータユニット、回路基板、磁気スイッチ（感知器）、ロータ等を収容したタイプでもよい。
【符号の説明】
【００２９】
３          ステータ回路部
３１        樹脂モールド部
３２        ステータユニット
３３        回路基板
４          ロータ
４１        駆動軸
５          ポンプ室ケース
６          蓋ケース
６１        水切り部
６２        縦壁（壁部）
６２ａ      スリット
６３        外壁（壁部）
６３ｂ      スリット
７          インペラ
７１        軸嵌合部
８，９      抗菌剤ユニット
８１，９１  網目状ケース
８２，９２  抗菌剤
１０        モータ部
２０        ポンプ部
３０        固定部（ブラケット）
Ｌ          軸
【図１】
2012145009.tif 000003
【図２】
2012145009.tif 000004
【図３】
2012145009.tif 000005